(57)【要約】【課題】  ４種類の紙幣の自由度の高い処理に対応しつつ、デザインの変更に伴う旧券の回収を効率的に行うことのできる紙幣処理機を提供することを目的とする。【解決手段】  紙幣処理機は、紙幣を取込む取込手段（１０１）と、前記取込手段により取込んだ紙幣の新旧・正損・金種等を識別する識別手段（１０５）と、前記識別手段の識別結果に基づき、結束対象の所定種類の紙幣を所定枚数集積する紙幣種類よりも少なくとも１つ多い数の集積部（１１１−１１１５）と、前記集積部に集積された所定枚数の結束対象紙幣を結束する結束手段（２００）と、結束すべき紙幣の金種、正券と損券の区別の有無、並びに旧券の扱いを指定する指定手段（１１）と、前記識別手段で識別された紙幣を、前記指定手段の指定に基づいて前記複数の集積部へ振り分け制御を行う制御部（４００）とを備える。【選択図】  図１
2006107212.tif 000002
【特許請求の範囲】
【請求項１】
紙幣を取込む取込手段と、
前記取込手段により取込んだ紙幣の新旧・正損・金種等を識別する識別手段と、
前記識別手段の識別結果に基づいて結束対象の所定種類の紙幣を所定枚数集積する、紙幣種類よりも少なくとも１つ多い数の集積部と、
前記集積部に集積された所定枚数の結束対象紙幣を結束する結束手段と、
結束すべき紙幣の金種、正券と損券の区別の有無、並びに旧券の扱いを指定する指定手段と、
前記識別手段で識別された紙幣を、前記指定手段の指定に基づいて前記複数の集積部へ振り分け制御を行う制御部と、
を備えた紙幣処理機。
【請求項２】
前記指定手段は、前記旧券を新券の損券として扱うように指定するものであることを特徴とする請求項１に記載の紙幣処理機。
【請求項３】
前記集積部は５個以上設けられ、前記指定手段は、２金種を指定できることを特徴とする請求項１に記載の紙幣処理機。
【発明の詳細な説明】
【技術分野】
【０００１】
本発明は紙幣処理機に関するもので、特にばら状態の紙幣を繰り込んで金種、券種、刷種別に分類し、所定枚数毎に結束（帯封）を行うものに関する。
【背景技術】
【０００２】
金融機関において、回収した紙幣等を整理するために紙幣処理機が用いられている。この紙幣処理機は、複数金種の紙幣が正常券（以下、正券という）と損券（汚れや破れにより損傷の大きい紙幣）とが混在状態で投入されたとき、これらを識別して金種別、正損別に分類して取り出し、あるいは通常１００枚単位で帯封処理を行うものである。
【０００３】
以前の紙幣処理機は千円、５千円、１万円の３種の紙幣に対応すれば十分であり、典型的な例は例えば特許文献１に開示されている。特許文献２においては、外部集積部が３つ存在し、これら各金種にそれぞれ外部集積部が対応している。
【０００４】
しかし、この外部集積部は金種との対応関係が固定されており、単に各金種ごとに振り分けるためのものであり、集積内容を変化させて、例えば正券と損券、新券と旧券のような分類を行うことは不可能であった。
【０００５】
また、平成年の２千円札の導入以来、従来の千円、５千円、１万円の３種の紙幣に加えて２千円札も加わって４種類の紙幣への対応が求められている。
【０００６】
このような対応を図った従来の紙幣処理機としては、例えば特許文献１に示された、金種別集積部を４つ有するものがある。
【０００７】
さらに、紙幣のデザインが変更されることもあり、このような場合には旧デザインの旧券の回収を迅速に進めるために、新券と旧券の識別および分類も必要となる。
【特許文献１】特開２００２−１９７５０９号公報
【特許文献２】実用新案登録２５９７７５２号公報
【発明の開示】
【発明が解決しようとする課題】
【０００８】
しかしながら、金種別集積部を４つ有するものであっても、 ４種類の紙幣種を帯封した場合に、４つの集積部の全てに紙幣が存在し、そのうち１つでも満杯となると、繰り出しを停止するか、すべての残りの紙幣をリジェクトしていた。この結果、満杯検知の直前に繰出されてしまった紙幣は、正常券であってもリジェクトされたり、リジェクト部に本当のリジェクト券と正常券が混在する結果になるという問題があった。
【０００９】
また、従来の機器は、同じ金種であれば、新旧の分類と正損の分類を組み合わせて分類することはできたが、２金種については同時に行うことができなかった。このため、２金種については、最低２回処理機に通さないと所望の分類をすることはできなかった。
【００１０】
一方、＋実際の使用現場では、回収する紙幣と、払い出し用の紙幣（例えば新券の正券）を分類して帯封を行う要求が高い。これは、新券と旧券が混在している場合、旧券と、新券の損券は、回収の必要のある点で同等であるためである。
【００１１】
このような分類の仕方は、従来の紙幣の新旧と正損を組み合わせて同じ金種で分類する方式では実現することができなかった。
【００１２】
本発明は、このような問題を解決するためになされたもので、４種類の紙幣の自由度の高い処理に対応しつつ、デザインの変更に伴う旧券の回収を効率的に行うことのできる紙幣処理機を提供することを目的とする。
【課題を解決するための手段】
【００１３】
本発明かかる紙幣処理機は、
紙幣を取込む取込手段と、
前記取込手段により取込んだ紙幣の新旧・正損・金種等を識別する識別手段と、
前記識別手段の識別結果に基づいて結束対象の所定種類の紙幣を所定枚数集積する、紙幣種類よりも少なくとも１つ多い数の集積部と、
前記集積部に集積された所定枚数の結束対象紙幣を結束する結束手段と、
結束すべき紙幣の金種、正券と損券の区別の有無、並びに旧券の扱いを指定する指定手段と、
前記識別手段で識別された紙幣を、前記指定手段の指定に基づいて前記複数の集積部へ振り分け制御を行う制御部とを備えたことを特徴とする。
【発明の効果】
【００１４】
本発明の紙幣処理機においては、結束対象紙幣を集積する集積部を流通している紙幣の金種よりも多い５つ以上とし、同じ金種でデザインの異なる新券と旧券が存在する場合に旧券を新券の損券として扱うことにより、新札と旧札が混在して流通している場合でも、釣り銭準備金となる新券の正券と、回収対象となる新券の損券および旧券の２つの分類で効率的な帯封を行うことができる。また集積部を５つ以上としたことにより、同時に２金種で同様の帯封を行うことができるとともに、１つの集積部が満杯になっても５つ目の集積部を予備の集積部として扱うことにより、処理の効率化さらに向上させることができる。
【発明を実施するための最良の形態】
【００１５】
以下、図面を参照して本発明の一実施形態を説明する。
【００１６】
図１は、本発明にかかる紙幣処理装置の一実施形態の内部構成を模式的に示す縦断面図である。  
紙幣処理装置１０は最上部に操作表示部１１を有し、主として前面上部の分類集積部１００、前面下部の紙幣結束部２００、背面の搬送部３００から構成されている。
【００１７】
（分類集積部１００）
前面のほぼ中央部に処理すべき紙幣を受け入れる入金口１０１が設けられ、ここに投入された金種の混合された紙幣は繰り出しローラ１０２，１０３により繰り出され、搬送路１０４に沿って搬送される。
【００１８】
搬送路１０４の途中には識別部１０５が設けられ、ここで金種、正損、真偽、表裏を識別する。なお、ここで示す識別部１０５は同じ金種でデザインが相違する新旧券も識別可能となっている。
【００１９】
搬送路は識別部１０５の先で分岐されており、識別部１０５による識別の結果に応じて、損券、偽券等はリジェクト紙幣としてリジェクト紙幣集積部１０６に集積される。一方、正券で真券のものは、表裏反転部１０７において、識別部１０５による表裏判定結果に応じ、すべての紙幣の表裏面が一致するようにされ、さらに判定された金種等に基づいて結束対象紙幣を収納する集積部１１１〜１１５のいずれかに集積される。
【００２０】
これらの各集積部１１１〜１１５はそれぞれ集積用のステージ１１１ａ〜１１５ａを有しており、これらは図示しない駆動手段で昇降可能とされている。
【００２１】
図１においては、各集積部１１１〜１１５は集積可能な状態として図示されている。すなわち、上側約２／３に設けられた壁部材１１１ｂ〜１１５ｂの下端位置にステージ１１１ａ〜１１５ａが位置しているため、搬送された紙幣は壁部材１１１ｂ〜１１５ｂに当たって停止し、集積される。この際、紙幣の飛び出しを防止し、安定な集積を可能とするために、集積量に応じて回動可能な押さえ板１１１ｃ〜１１５ｃが設けられている。なお、ステージ１１１ａ〜１１５ａおよび壁部材１１１ｂ〜１１５ｂには後述する搬送部のハンドが自由に通過できる切り欠きが形成されている。
【００２２】
一方、結束対象外の紙幣はさらに搬送され、外部集積部１２１および１２２に集積される。
【００２３】
これらの集積部１１１〜１１５および外部集積部１２１および１２２に対して集積すべき対象を種々設定することができ、様々な処理が可能であり、例えば金種／正損／新旧等の種類の組み合わせで設定することができる。なお、この設定内容自体については、本発明とは直接関係がないので、ここでは言及しない。
【００２４】
表示操作部１１の下には結束対象となったものの、結束可能枚数に達しなかった端数紙幣を返却するための端数紙幣返却部１３０が設けられており、端数紙幣返却トレイ１３１の下面に設けられた突き当て部材１３２の先端部１３２ａが背面より押されることにより、端数返却トレイ１３１が前進し、前面に設けられたシャッタ１３３が開いて一点鎖線で示された位置まで進み、端数紙幣を取り出すことができる。この部分の構成および作用については、後述する。
【００２５】
（紙幣結束部２００）
分類集積部１００の下に設けられた紙幣結束部２００は、所定枚数（通常１００枚）に達した分類・集積された紙幣に紙の帯を巻回させ帯封を行う部分である。
【００２６】
集積部１１１〜１１５において集積枚数が所定枚数に達したものは後述する搬送部３００によりセット部２０１に移送され、挟持される。
【００２７】
挟持された紙幣の所定箇所に帯封テープを巻回させるための回転機構２０２が設けられ、帯封テープを帯封テープ集積部２０３より取り出された帯封テープ２０４の先端をテープ止め２０５で止め、回転させることにより結束紙幣を得るようになっている。また、結束後、テープの先端を切断するためのカッタ２０６およびその先端部を熱接着するためのヒータ２０７も設けられている。
【００２８】
帯封された結束紙幣はベルト式の搬送機構２０８で結束紙幣投出口２０９に投出されるが、搬送途中には金種、日時、連続番号等を帯封の上に印字する印字部２１０、処理を行った金融機関印を押印する押印部２１１が設けられている。
【００２９】
次に、背面に設けられた搬送部３００は、集積部１１１〜１１５と紙幣結束部２００または端数紙幣返却部１３０との間で結束対象紙幣または端数紙幣を搬送するものである。
【００３０】
（搬送部３００）
搬送部３００は、装置の下端から上端に到る垂直に設置されたガイド軸３０１、このガイド軸３０１に係合しつつ上下移動の可能な昇降ユニット３１０、この昇降ユニット３１０を昇降させるための駆動ベルト３０２を備える。
【００３１】
昇降ユニット３１０はベルト機構３１１による前進後退可能なブロック３１２を有しており、このブロック３１２には固定の下ハンド３１３と、ベルト３１６により軸３１５に沿って上下移動する上ハンド３１４を有している。ハンド３１３と３１４は、集積部１１１〜１１５に集積された結束対象紙幣あるいは端数紙幣を挟んで取り出し、紙幣結束部２００あるいは端数紙幣返却部１３０に移送するためのものである。
【００３２】
（制御部４００）
本紙幣処理装置の全体の動作を制御するための制御装置４００が設けられている。この制御装置４００は制御手段としてのマイクロプロセッサおよびこの制御手段と例えば金融機関のセンター等に設置された上位のコンピュータ等と通信回線で接続するための通信手段を備えている。この通信手段を介して、装置内のあらゆる状況データが上位にコンピュータに逐一送信される。
【００３３】
図１においては、制御手段４００は便宜上紙幣結束部２００の下に描かれているが、設計において確保された空間であれば、装置内のあらゆる場所に設置することができる。
【００３４】
以上のような構成の紙幣処理機において、本発明では帯封を行う紙幣のための集積部と、帯封を行わない紙幣に対して集積を行う外部集積部を、金種、正券か損券かの券種、新券か旧券かの刷種について種々に指定可能としている。
【００３５】
図２は、操作表示部に表示されるモード設定画面の一例を示しており、最も左の列の最上位にある設定ボタンを押したときの画面である。この画面はタッチパネルとなっており、オベレータが画面上の該当箇所に触れることにより、各種の操作を行うことができるようになっている。
【００３６】
この画面中、左端の一列、右端の２列に設けられた種々の設定ボタンを押すことにより、集積部および外部集積部に集積すべき紙幣の金種、券種、刷種を指定することができる。
【００３７】
左から２番目の欄は各集積部の設定内容および扱った金額を表している。最上段の２行は外部集積部１３１および１３２に対する設定内容、次の４行は集積部１１１〜１１４における設定内容を示している。なお、集積部１１５は集積部１１１〜１１４のいずれかが満杯になったとき、予備的に用いられる。
【００３８】
図２に示す例では２つの外部集積部１３１、１３２とも混合であり、４つの集積部１１１〜１１４はそれぞれ５千円札の正券を新旧混合、５千円札の損券を新旧混合、２千円札の正券を新旧混合、２千円札の損券を新旧混合という設定となっている。なお、ここで述べた混合、新旧混合等の意味については後述する。
【００３９】
これらの設定表示の下の部分は実際に取り込まれた各紙幣の金額および総合計を示している。
【００４０】
図３から図１１は本発明にかかる紙幣処理機で設定可能な各種の処理設定を示す図表、図１２から図１４は処理中の設定内容および実績を示す画面表示の例を示す説明図である。
【００４１】
図３から図５は旧券を新券と区別せず通常の扱いをする場合で、図３は帯封を行う金種を選択する場合、図４は帯封を行う組み合わせをダイレクトに選択する場合、図５は帯封を行わない場合を示している。
【００４２】
まず、図３においては、帯封モードで、帯封を行う金種を選択する場合が示されている。この帯封モードは初期値（デフォルト）である。
【００４３】
本実施の形態では集積部は５つあるので、万、五千、２千、千の各金種について一つずつ集積部を割り当てることができる。デフォルト値は４金種を全部指定する場合であるが、整理の際これら全部について帯封を希望するとは限らないので、これら４金種から任意の１金種、２金種、３金種を選択することができる。なお、現実の使用量を考慮して１金種選択の場合の初期値は万、２金種選択の場合の初期値は万と千、３金種選択の場合の初期値は万、五千、千となっているが、任意の金種に変更することができる。
【００４４】
これらの金種について結束対象の券種を選択できる。この券種としては正券、損券、混合正券、混合損券の一つから選択でき、初期値は正券である。なお、混合正券とは、正券と損券を区別せずに混合して集積して帯封を行い、損券も正券として取り扱う場合、逆に混合損券とは、混合して集積して帯封を行ったものは損券として扱い、帯封に「損」スタンプを押す場合を言う。
【００４５】
また、刷種を選択できる。これはデザイン変更のあった金種について新券あるいは旧券を指定し、または両者を区別しない新旧券を指定することができるものである。初期値は新券である。
【００４６】
以上のように集積部に集積される内容が金種、券種、刷種で指定されるため、この札種以外のものは結束対象ではなく、これらは集積部に集積されることなく外部集積部に送られる。
【００４７】
この外部集積部での指定札種以外の札種についての集積条件も設定することができる。本実施の形態では外部集積部は２つ設けられているため、正損分類、新旧分類、混合のいずれかを指定することができる。
【００４８】
このうち正損分類の場合には、例えば外部集積部１２１には帯封指定札種以外の正券、外部集積部１２２には帯封指定札種以外の損券を金種、券種混合で集積する。このような正損分類をすることにより、損券を除去できるため、次の処理の際には正券のみを挿入することができ、処理効率を上げることができる。
【００４９】
また、新旧分類の場合には、例えば外部集積部１２１には帯封指定札種以外の新券、外部集積部１２２には帯封指定札種以外の旧券を集積する。このような新旧分類をすることにより、旧券を確実に除き、流通させないようにすることができる。
【００５０】
なお、混合を指定したときには外部集積部１２１が満杯（通常２００枚程度）になったときには外部集積部１２２に集積を行うようにする。この外部集積部１２２に集積中に外部集積部１２１内の集積紙幣を取り除けば、外部集積部１２２が満杯になった後に再度外部集積部１２１に集積を行うことができる。なお、外部集積部から満杯になった紙幣を抜き取った内容を表示部に確定データとして表示し、かつ制御部４００の通信手段を介して上位コンピュータに送信することが好ましい。
【００５１】
図１２は帯封モードを実行中の操作表示部における画面表示の一例を示す説明図である。
【００５２】
最上段の２行は２つの外部集積部における集積内容を示す。この例では指定札種以外の紙幣が正損、新旧を区別せずに集積されている。
【００５３】
次の４行は４つの集積部に対する設定内容が示されており、さらに帯封が行われた束数、端数の枚数も表示される。ここでは、万円の正券の旧券、万円の損券の旧券、５千円の正券の旧券、５千円の損券の旧券を集積するように設定されている。
【００５４】
最下段の５行は４種類の金種について繰り出されて処理された金額およびその合計金額が示されている。
【００５５】
図４は旧券を通常券として扱い、帯封を行う際、種々の態様をダイレクトに指定できる場合を示す図表である。
【００５６】
この実施の態様で指定できるのは、万、５千、２千、千の４金種のうち１金種（初期値：万）について正券と損券を２つの集積部でそれぞれ集積する１金種正損、４金種のうち２金種（初期値：万、千）について正券と損券を４つの集積部でそれぞれ集積する２金種正損、万、５千、千の３金種のうち１金種（初期値：万）について新券と旧券を２つの集積部でそれぞれ集積する１金種新旧、３金種のうち２金種（初期値：万、千）について新券と旧券を４つの集積部でそれぞれ集積する２金種新旧、正損２の５つのモードがある。この正損２は４金種のうち２金種（初期値：万、千）を選択し、かつ刷種として新券、旧券、新旧券のいずれか（初期値：新券）を選択するものである。このモードでは１金種新旧、２金種新旧の場合と異なって、正券、損券、混合正券、混合損券のうちのいずれかを指定する券種を選択することができない。
【００５７】
これらのダイレクト指定の場合にも、結束対象外紙幣の外部集積部への集積の際、混合、正損分類、新旧分類のいずれかを指定することができる。
【００５８】
図５は旧券を通常券として扱い、帯封を行わない場合を示している。
【００５９】
まず、入金モードであるが、入金口に種々の札種を含んだ紙幣をセットすると、表裏を取りそろえて外部集積部に希望の札種を集積するものである。このモードでは２つの外部集積部の使用態様が決められているために、外部集積部に対する選択はできず、設定ボタンを押しても反応しない。なお、識別不能券はリジェクト紙幣集積部１０６に集積される。この入金モードには次の４つの処理がある。
【００６０】
初期値である分類処理は、万、５千、２千、千の４金種のうち１金種（初期値：万）について新券、旧券、新旧券のいずれか（初期値：新券）の指定された刷種の正券を外部集積部１２１へ、指定刷金種の損券および指定外の刷金種を外部集積部１２２に集積する処理である。したがって、当然のことながら、正損に関する券種を選択することはできない。
【００６１】
他の混合、正損、新旧処理においては金種の選択はできず、すべて金種は混合となる。
【００６２】
まず、混合処理は、新券、旧券、新旧券のいずれか（初期値：新券）のうち指定された刷種を全金種混合、正損混合で搬送し、外部集積部１２１に集積し、これが満杯になると外部集積部１２２に集積する処理である。指定外の刷種はリジェクト紙幣集積部１０６に集積される。
【００６３】
正損処理は、指定刷種の正券を外部集積部１２１に、指定刷種の損券を外部集積部１２２に集積する。指定外の刷種はリジェクト紙幣集積部１０６に集積される。
【００６４】
新旧処理は、金種、券種、刷種の選択はなく、新券は外部集積部１２１に、旧券は外部集積部１２２に集積する処理である。
【００６５】
なお、この実施例では正損および新旧処理の場合には金種の選択はできないこととしているが、金種を選択できるようにしても良い。この場合には指定外金種はリジェクト紙幣集積部１０６に集積される。
【００６６】
図１３は入金モードを実行中の操作表示部における画面表示の一例を示す説明図である。
【００６７】
最上段の２行は２つの外部集積部における集積内容を示しており、この例では混合がモードが指定されているので、すべての金種の紙幣が正損、新旧を区別せずに集積されている。
【００６８】
４つの集積部は用いられないため、これらに対する設定内容表示はなく、最下段に繰り出されて処理された金額およびその合計金額が示されている。
【００６９】
次にバッチ処理であるが、これは紙幣投入口にセットされた紙幣を計数し、表裏を取りそろえて指定枚数だけ外部集積部に集積するものである。
【００７０】
枚数設定は外部集積部の容量の範囲（２００枚程度）内でテンキーで行われ（初期値：１５０枚）、金種は自動、万、５千、２千、千の４金種のうち１種類（初期値：自動）を選択可能で、正損は通常区別するが、区別しない場合も選択でき、さらに新券、旧券、新旧券のうちいずれか（初期値：新券）も選択可能である。指定刷金種の損券および指定外刷金種はリジェクト紙幣集積部１０６に集積される。
【００７１】
なお、ここで自動とは紙幣投入口に載置された紙幣が紙幣搬送された時に一枚目の金種を外部集積部に搬送するモードである。例えば、初めに搬送されてきた一枚目の紙幣が１万円の場合、自動で１万円が金種選択されることとなる。
【００７２】
図１４はバッチモードを実行中の操作表示部における画面表示の一例を示す説明図である。
【００７３】
最上段の２行は２つの外部集積部における集積内容を示す。この例では万円の正券の旧券が指定されている。その下にバッチ枚数を指定する欄があり、ここでは１５０枚が指定されている。なお、このバッチ処理を複数回繰り返すことができ、そのためのバッチ回数も指定できる。
【００７４】
４つの集積部は用いられないため、これらに対する設定内容表示はなく、最下段に繰り出されて処理された金額およびその合計金額が示されている。
【００７５】
図６〜図８は旧券をリジェクト扱いとする場合の各種モードを示す図表である。これらは図３〜図５にそれぞれ対応しており、内容は類似しているため、異なる部分を中心に説明する。
【００７６】
まず、図６の金種選択をする場合であるが、刷種は旧券をリジェクト扱いとするため必然的に新券に固定され、選択することができない。他は図３で説明したのと同じである。
【００７７】
次に、図７のダイレクト帯封選択の場合には、旧券がリジェクト扱いされることが前提であるので、１金種新旧、および２金種新旧のモードは選択することができず、正損２モードでも刷種の選択はできず、新券固定となる。
【００７８】
次に、図８の帯封なしのモードについては、入金モードの新旧処理はあり得ないので選択することができず、他の分類処理、混合処理、正損処理において刷種の選択はできず、新券固定となる。同様にバッチ処理でも刷種の選択はできず、新券固定となる。
【００７９】
図９〜図１１は本発明の主要部分をなす、旧券を新券の損券扱いとして処理を行う場合の各種モードを示す図表である。
【００８０】
このような旧券を新券の損券扱いとするには、図１５に示すような設定画面において、旧券の扱いを新損券として選択すれば良い。このように設定することにより、識別部１０６において旧券と判断されたものは、正券、損券にかかわらず、新券の損券として取り扱われる。
【００８１】
図15の設定画面においては、天方向のオン、オフを選択できるようになっている。天方向とは表裏が揃えられた紙幣の向きが正立状態にあるものを天方向正、倒立状態にあるものを天方向逆と定義し、結束対象として集積される紙幣を全部天方向正とするものが天方向オンモードである。
【００８２】
具体的には、例えば１万円を帯封する場合、天方向オンの場合には、紙幣を紙幣投入口１０１に載置し、識別部１０５の識別結果により表裏反転部１０７で表裏反転後、天方向正の紙幣は集積部１１１〜１１５に集積して帯封し、天方向逆の紙幣は外部スタッカ１２１，１２２に排出される。この排出された紙幣は天方向逆で揃っているので、再度紙幣投入口に載置すれば、天方向正の向きに揃えて帯封処理が可能となる。
【００８３】
一方、天方向オフの場合には、集積部には天方向正のものも天方向逆のものも混在して集積され、帯封される。
【００８４】
図９〜図１１も図３〜図５にそれぞれ対応しており、内容は類似しているため、異なる部分を中心に説明する。
【００８５】
まず、図９の金種選択をする場合であるが、刷種は旧券を新券の損券扱いとするため必然的に新旧券に固定され、選択することができない。他は図３で説明したのと同じである。
【００８６】
次に、図１０のダイレクト帯封選択の場合には、旧券が新券の損券扱いされることが前提であるので、１金種新旧、および２金種新旧のモードは選択することができず、正損２モードでも刷種の選択はできず、新旧券固定となる。なお、この２金種正損のモードにおいては、２金種、例えば万円と５千円について、新札の正券と、旧券が含まれた新札の損券とに分離されてそれぞれ結束処理が行われるので、最も処理効率が高い。
【００８７】
次に、図１１の帯封なしのモードについては、入金モードの新旧処理はあり得ないので選択することができず、他の分類処理、混合処理、正損処理において刷種の選択はできず、新旧券固定となる。同様にバッチ処理でも刷種の選択はできず、新旧券固定となる。
【００８８】
以上、種々の設定について説明したが、典型的ないくつかの例について各集積部の使用の状況を説明する。
【００８９】
図１６は本実施態様のように、集積部を５つ、外部集積部を２つ有する場合、万円と五千円の２金種について帯封のための種々の設定をした場合、各種券種、刷種がどこに集積されるかを示す図表である。この図においては、集積部１１１〜１１５をそれぞれＡ〜Ｅ、外部集積部１２１、１２２をそれぞれＦ、Ｇ、リジェクト紙幣集積部１０６をＨと表記する。
【００９０】
これによれば、第１のケースは旧券を通常券として扱い、１金種正損処理として万円につき、正券、損券を新旧別に集積する場合、第２のケースは旧券を通常券として扱い、２金種正損処理として万円、５千円につき、正券、損券を新旧別に集積する場合、第３のケースは旧券を通常券として扱い、１金種新旧処理として万円の正券を新旧別に集積する場合、第４のケースは旧券を通常券として扱い、２金種新旧として万円および５千円につき、正券を新旧別に集積する場合、第５のケースは旧券をリジェクトとして扱う１金種正損処理の場合、第６のケースは旧券をリジェクトとして扱う２金種正損処理の場合、第７のケースは旧券を新券の損券として扱う１金種正損処理の場合、第８のケースは旧券を新券の損券として扱う２金種正損処理の場合である。
【００９１】
他の紙幣、券種、刷種については設定条件により外部集積部１２１、１２２またはリジェクト紙幣集積部１０６のいずれかに集積されることになる。
【００９２】
以上のように、本発明の実施の形態によれば、集積部は取り扱う金種の数よりも１つ多い５個設けられているため、４つの集積部における集積内容を種々に設定することにより２金種について同時に回収作業を進めることができる。
【００９３】
また、４つの集積部にそれぞれ集積中に、ある金種（あるいは札種）の集積部が満杯になったときでも、予備的に設けられた５番目の集積部に搬送中のその金種の紙幣を集積することによって正常紙幣のリジェクトや装置の停止を避けることができ、運用の効率化を図ることができる。    
また、旧券を新券の損券として扱うことにより、正損分類を指定するのみで旧券を結束して回収することが可能となるので、旧券の回収を効率的に行うことが可能となる。
【００９４】
以上の実施の形態では、現在の４金種が存在し、そのうち万円、５千円、千円の各紙幣にデザイン変更のある状況をふまえて集積部の数は５となっているが、今後金種が増えた場合、集積部の数は金種の数よりも１以上多ければ、効率的な処理を行うことができる。
【図面の簡単な説明】
【００９５】
【図１】本発明にかかる紙幣処理装置の一実施形態の内部構成を模式的に示す縦断面図である。
【図２】各種モードの設定画面を示す説明図である。
【図３】旧券を通常扱いとした、金種選択帯封モードにおける設定内容を示す図表である。
【図４】旧券を通常扱いとした、ダイレクト帯封モードにおける設定内容を示す図表である。
【図５】旧券を通常扱いとした、入金モードおよびバッチモードにおける設定内容を示す図表である。
【図６】旧券をリジェクト扱いとした、金種選択帯封モードにおける設定内容を示す図表である。
【図７】旧券をリジェクト扱いとした、ダイレクト帯封モードにおける設定内容を示す図表である。
【図８】旧券をリジェクト扱いとした、入金モードおよびバッチモードにおける設定内容を示す図表である。
【図９】旧券を新券の損券扱いとした、金種選択帯封モードにおける設定内容を示す図表である。
【図１０】旧券を新券の損券扱いとした、ダイレクト帯封モードにおける設定内容を示す図表である。
【図１１】旧券を新券の損券扱いとした、入金モードおよびバッチモードにおける設定内容を示す図表である。
【図１２】帯封モードを実行中の操作表示部における画面表示の一例を示す説明図である。
【図１３】入金モードを実行中の操作表示部における画面表示の一例を示す説明図である。
【図１４】バッチモードを実行中の操作表示部における画面表示の一例を示す説明図である。
【図１５】旧券を新券の損券扱いをするための設定画面を示す説明図である。
【図１６】本発明の実施の態様における種々の設定をした場合、各種券種、刷種がどの集積部、外部集積部に集積されるかを示す図表である。
【符号の説明】
【００９６】
１０  紙幣処理機
１１  操作表示部
１００  分類集積部
１０１  入金口
１０５  識別部
１０６  リジェクト紙幣集積部
１０７  表裏反転部
１１１〜１１５  集積部
１２１、１２２  外部集積部
１３０  端数紙幣返却部
１３１  トレイ
１３２  突き当て部材
１３３  シャッタ
２００  紙幣結束部
２０２  回転機構
２０９  結束紙幣投出口
３００  搬送部
３０１  ガイド軸
３０２  ベルト
３１０  昇降ユニット
３１１、３１６  ベルト
３１２  ブロック
３１３、３１４  ハンド
３１５  ガイド軸
４００  制御部
【図１】
2006107212.tif 000003
【図２】
2006107212.tif 000004
【図３】
2006107212.tif 000005
【図４】
2006107212.tif 000006
【図５】
2006107212.tif 000007
【図６】
2006107212.tif 000008
【図７】
2006107212.tif 000009
【図８】
2006107212.tif 000010
【図９】
2006107212.tif 000011
【図１０】
2006107212.tif 000012
【図１１】
2006107212.tif 000013
【図１２】
2006107212.tif 000014
【図１３】
2006107212.tif 000015
【図１４】
2006107212.tif 000016
【図１５】
2006107212.tif 000017
【図１６】
2006107212.tif 000018